(57)【要約】【課題】記入用紙に記載された指示内容を、指示先となる請負業者ごとに適切に通知することが可能な端末装置を提供する。【解決手段】端末装置は、受信手段と、指示内容抽出手段と、指示先入力受付手段と、指示内容送信手段とを備える。受信手段は、ドットパターンが印刷された記入用紙への電子ペンによる記入情報を受信する。指示内容抽出手段は、記入情報に基づき１又は複数の指示内容を抽出する。指示先入力受付手段は、少なくとも、前記指示内容のそれぞれの指示先の入力を受け付ける。指示内容送信手段は、入力された指示先の端末に、当該指示先に対応する前記指示内容を、直接又は他の端末を介して送信する。【選択図】図１
2011180634.tif 000002
【特許請求の範囲】
【請求項１】
所定の事業に関する監督者が使用する端末装置であって、
コード化パターンが印刷された記入用紙への電子ペンによる記入情報を受信する受信手段と、
前記記入情報に基づき１又は複数の指示内容を抽出する指示内容抽出手段と、
少なくとも、前記指示内容のそれぞれの指示先の入力を受け付ける指示先入力受付手段と、
入力された指示先の端末に、当該指示先に対応する前記指示内容を、直接又は他の端末を介して送信する指示内容送信手段と、
を備えることを特徴とする端末装置。
【請求項２】
前記記入用紙は、少なくとも前記指示内容を記入する欄を含む１又は複数の欄からなるリストを備え、
前記指示内容抽出手段は、前記電子ペンによって前記指示内容を記入する欄に記入されたストロークを、前記指示内容として抽出する請求項１に記載の端末装置。
【請求項３】
前記記入用紙は、設計図面を含み、
前記リストは、前記設計図面上に付した記号を記入する欄をさらに備え、
前記指示内容送信手段は、入力された指示先の端末に、少なくとも前記指示内容と、当該指示内容に対応する前記記号とを送信することを特徴とする請求項１又は２に記載の端末装置。
【請求項４】
前記指示内容抽出手段は、前記電子ペンによって前記設計図面に記入されたストロークを、設計図面記入内容としてさらに抽出し、
前記指示内容送信手段は、入力された指示先の端末に、さらに前記設計図面と、前記設計図面記入内容とを送信することを特徴とする請求項３に記載の端末装置。
【請求項５】
請求項３又は４に記載の端末装置と、指示内容及びこれに関連するデータを管理するサーバと、前記事業の請負業者が使用する請負側端末とを備える指示送信システムであって、
前記端末装置は、
前記指示先入力受付手段が、少なくとも、前記指示内容のそれぞれの指示先である前記請負業者を特定する情報の入力を受け付け、
前記指示内容送信手段が、当該指示先に対応する前記指示内容を、前記サーバを介して当該指示先へ送信するものであって、
前記サーバは、
前記指示内容送信手段によって送信された前記指示内容を受信する受信手段と、
前記入力情報を記憶する記憶手段と、
前記入力情報に基づき、前記請負側端末へ、前記入力情報に含まれる前記指示内容及び前記画像データを含む画像添付データを送信する送信手段とを備え、
前記請負側端末は、
前記送信手段が送信したデータを受信するデータ受信手段と、
を備えることを特徴とする指示送信システム。
【請求項６】
請求項３又は４に記載の端末装置であって、指示内容及びこれに関連するデータを管理する端末装置と、前記監督者が使用するカメラ付き携帯端末と、前記事業の請負業者が使用する携帯端末とを備える指示送信システムであって、
前記カメラ付き携帯端末は、
指示内容に関連する現場を撮影して画像データを生成する画像データ生成手段と、
少なくとも、前記指示内容と、当該指示内容の指示先である前記請負業者を特定する情報と、前記記号と、の入力を受け付ける入力受付手段と、
前記入力受付手段により受け付けた入力情報を前記端末装置へ送信する送信手段と、
を備え、
前記端末装置は、
前記送信手段によって送信された前記入力情報を受信する受信手段と、
前記入力情報を記憶する記憶手段と、
前記入力情報に基づき、前記携帯端末へ、前記入力情報に含まれる前記指示内容及び前記画像データを含む画像添付データを送信する送信手段とをさらに備え、
前記携帯端末は、
前記送信手段が送信したデータを受信するデータ受信手段と、
を備えることを特徴とする指示送信システム。
【請求項７】
請求項３又は４に記載の端末装置と、前記監督者が使用するカメラ付き携帯端末と、指示内容及びこれに関連するデータを管理するサーバと、前記事業の請負業者が使用する携帯端末とを備える指示送信システムであって、
前記カメラ付き携帯端末は、
指示内容に関連する現場を撮影して画像データを生成する画像データ生成手段と、
少なくとも、前記指示内容と、当該指示内容の指示先である前記請負業者を特定する情報と、前記記号と、の入力を受け付ける入力受付手段と、
前記入力受付手段により受け付けた入力情報を前記サーバへ送信する送信手段と、
を備え、
前記サーバは、
前記送信手段によって送信された前記入力情報を受信する受信手段と、
前記入力情報を記憶する記憶手段と、
前記入力情報に基づき、前記携帯端末へ、前記入力情報に含まれる前記指示内容及び前記画像データを含む画像添付データを送信する送信手段とを備え、
前記携帯端末は、
前記送信手段が送信したデータを受信するデータ受信手段と、
を備えることを特徴とする指示送信システム。
【請求項８】
請求項３又は４に記載の端末装置であって、指示内容及びこれに関連するデータを管理する端末装置と、前記監督者が使用するカメラ付き携帯端末と、前記事業の請負業者が使用する携帯端末とを備える指示送信システムであって、
前記カメラ付き携帯端末は、
指示内容に関連する現場を撮影して画像データを生成する画像データ生成手段と、
少なくとも、前記指示内容と、当該指示内容の指示先である前記請負業者を特定する情報と、前記記号と、の入力を受け付ける入力受付手段と、
前記入力受付手段により受け付けた入力情報を前記端末装置へ送信する送信手段と、
を備え、
前記端末装置は、
前記送信手段によって送信された前記入力情報を受信する受信手段と、
前記入力情報を記憶する記憶手段と、
前記入力情報に基づき、前記携帯端末へ、前記入力情報に含まれる前記指示内容及び前記画像データを含む画像添付データを送信する送信手段とをさらに備え、
前記携帯端末は、
前記送信手段が送信したデータを受信するデータ受信手段と、
を備えることを特徴とする指示送信システム。
【請求項９】
前記請負業者が使用する携帯端末は、
前記データ受信手段による前記データの受信後、指示内容に関連する現場を撮影して画像データを生成する画像データ生成手段と、
前記画像データを含む返信データを前記サーバへ送信する送信手段とをさらに備え、
前記サーバは、
前記送信手段が前記返信データを前記端末装置に送信することを特徴とする請求項７に記載の指示送信システム。
【請求項１０】
前記請負業者が使用する携帯端末は、
前記データ受信手段による前記データの受信後、指示内容に関連する現場を撮影して画像データを生成する画像データ生成手段と、
前記画像データを前記端末装置へ送信する送信手段とをさらに備えることを特徴とする請求項８に記載の指示送信システム。
【請求項１１】
所定の事業に関する監督者が使用する端末装置により実行されるプログラムであって、
コード化パターンが印刷された記入用紙への電子ペンによる記入情報を受信する受信手段と、
前記記入情報に基づき１又は複数の指示内容を抽出する指示内容抽出手段と、
少なくとも、前記指示内容のそれぞれの指示先の入力を受け付ける指示先入力受付手段と、
入力された指示先の端末に、当該指示先に対応する前記指示内容を、直接又は他の端末を介して送信する指示内容送信手段、
として前記端末装置を機能させることを特徴とするプログラム。
【請求項１２】
前記記入用紙は、少なくとも前記指示内容を記入する欄を含む１又は複数の欄からなるリストを備え、
前記指示内容抽出手段は、前記電子ペンによって前記指示内容を記入する欄に記入されたストロークを、前記指示内容として抽出する請求項１１に記載のプログラム。
【請求項１３】
前記記入用紙は、設計図面を含み、
前記リストは、前記設計図面上に付した記号を記入する欄をさらに備え、
前記指示内容送信手段は、入力された指示先の端末に、少なくとも前記指示内容と、前記設計図面と、当該指示内容に対応する前記記号とを送信することを特徴とする請求項１１または１２に記載のプログラム。
【請求項１４】
前記指示内容抽出手段は、前記電子ペンによって前記設計図面に記入されたストロークを、設計図面記入内容としてさらに抽出し、
前記指示内容送信手段は、入力された指示先の端末に、さらに前記設計図面と、前記設計図面記入内容とを送信することを特徴とする請求項１１に記載のプログラム。
【発明の詳細な説明】
【技術分野】
【０００１】
本発明は、電子ペンから情報を受信して処理する端末装置及びこれを含むシステムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、写真を撮影する位置及び方向を図面上で指示する電子ペンと、写真を撮影し、撮影した写真とその撮影時刻とを記憶するカメラと、位置方向情報と、写真情報とを対応付けて記憶する記憶部とを備える写真管理システムが開示されている。その他、本発明に関連する技術が、特許文献３乃至特許文献５にそれぞれ開示されている。
【先行技術文献】
【特許文献】
【０００４】
【特許文献１】特表２００３−５１１７６１号公報
【特許文献２】特開２００７−２１３３５５号公報
【特許文献３】特表２００９−０１５３５３号公報
【特許文献４】特開２００９−０１５３５４号公報
【特許文献５】特開２００６−２６０３４５号公報
【発明の概要】
【発明が解決しようとする課題】
【０００５】
建設工事等の所定の事業に関する監督者とその事業の請負業者とが指示内容についてやりとりを行う場合、監督者が帳票に記載した指示内容を迅速かつ簡易に電子化して請負業者の端末に送信できることが望ましい。また、このとき、請負業者が複数あり、帳票に複数の請負業者の指示内容が記載された場合、指示内容は、対応する請負業者ごとに振り分けられて送信される必要がある。そこで、本発明は、記入用紙に記載された指示内容を、指示先となる請負業者ごとに適切に通知することが可能な端末装置を提供する。
【課題を解決するための手段】
【０００６】
本発明の１つの観点では、所定の事業に関する監督者が使用する端末装置であって、コード化パターンが印刷された記入用紙への電子ペンによる記入情報を受信する受信手段と、前記記入情報に基づき１又は複数の指示内容を抽出する指示内容抽出手段と、少なくとも、前記指示内容のそれぞれの指示先の入力を受け付ける指示先入力受付手段と、入力された指示先の端末に、当該指示先に対応する前記指示内容を、直接又は他の端末を介して送信する指示内容送信手段とを備える。
【０００７】
上記のように構成された端末装置は、受信手段と、指示内容抽出手段と、指示先入力受付手段と、指示内容送信手段とを備える。受信手段は、コード化パターンが印刷された記入用紙への電子ペンによる記入情報を受信する。記入用紙は、監督者が工事現場での安全チェック等に使用する帳票にコード化パターンが印刷された用紙である。受信手段は、記入情報を、電子ペンから直接受信してもよく、または、電子ペンの記入情報を読み取る専用の装置に接続することで記入情報を受信してもよい。指示内容抽出手段は、記入情報に基づき１又は複数の指示内容を抽出する。指示先入力受付手段は、少なくとも、前記指示内容のそれぞれの指示先の入力を受け付ける。ここで、「指示先の入力」とは、指示先となる請負業者の会社名又は担当者の氏名の入力、その他指示先を特定する情報の入力を指す。指示内容送信手段は、入力された指示先の端末に、当該指示先に対応する前記指示内容を、直接又は他の端末を介して送信する。このようにすることで、端末装置は、監督者が電子ペンで記入した指示内容を、それぞれ対応する指示先となる請負業者の端末へ送信することができる。
【０００８】
上記の端末装置の一態様では、前記記入用紙は、少なくとも前記指示内容を記入する欄を含む１又は複数の欄からなるリストを備え、前記指示内容抽出手段は、前記電子ペンによって前記指示内容を記入する欄に記入されたストロークを、前記指示内容として抽出する。この態様では、記入用紙には、１又は複数の欄からなるリストが印刷され、そのリストには、少なくとも指示内容を記入する欄が設けられている。指示内容抽出手段は、電子ペンによって指示内容を記入する欄に記入されたストロークを、指示内容として抽出する。このようにすることで、端末装置は、記入用紙の記載に基づき指示内容を特定し、指示先へ通知することができる。
【０００９】
上記の端末装置の他の一態様では、前記記入用紙は、設計図面を含み、前記リストは、前記設計図面上に付した記号を記入する欄をさらに備え、指示内容送信手段は、入力された指示先の端末に、少なくとも前記指示内容と、当該指示内容に対応する前記記号とを送信する。このようにすることで、監督者は、指示内容に設計図面を添付し、かつ、記号により対応する位置関係を明らかにすることで、より具体的かつ明確に請負者へ指示を通知することができる。
【００１０】
上記の端末装置の他の一態様では、前記指示内容抽出手段は、前記電子ペンによって前記設計図面に記入されたストロークを、設計図面記入内容としてさらに抽出し、前記指示内容送信手段は、入力された指示先の端末に、さらに前記設計図面と、前記設計図面記入内容とを送信する。
【００１１】
本発明の他の観点では、請求項３又は４に記載の端末装置と、指示内容及びこれに関連するデータを管理するサーバと、前記事業の請負業者が使用する請負側端末とを備える指示送信システムであって、前記端末装置は、前記指示先入力受付手段が、少なくとも、前記指示内容のそれぞれの指示先である前記請負業者を特定する情報の入力を受け付け、前記指示内容送信手段が、当該指示先に対応する前記指示内容を、前記サーバを介して当該指示先へ送信するものであって、前記サーバは、前記指示内容送信手段によって送信された前記指示内容を受信する受信手段と、前記入力情報を記憶する記憶手段と、前記入力情報に基づき、前記請負側端末へ、前記入力情報に含まれる前記指示内容及び前記画像データを含む画像添付データを送信する送信手段とを備え、前記請負側端末は、前記送信手段が送信したデータを受信するデータ受信手段と、を備える。
【００１２】
本発明のさらに別の観点では、請求項３又は４に記載の端末装置であって、指示内容及びこれに関連するデータを管理する端末装置と、前記監督者が使用するカメラ付き携帯端末と、前記事業の請負業者が使用する携帯端末とを備える指示送信システムであって、前記カメラ付き携帯端末は、指示内容に関連する現場を撮影して画像データを生成する画像データ生成手段と、少なくとも、前記指示内容と、当該指示内容の指示先である前記請負業者を特定する情報と、前記記号と、の入力を受け付ける入力受付手段と、前記入力受付手段により受け付けた入力情報を前記端末装置へ送信する送信手段と、を備え、前記端末装置は、前記送信手段によって送信された前記入力情報を受信する受信手段と、前記入力情報を記憶する記憶手段と、前記入力情報に基づき、前記携帯端末へ、前記入力情報に含まれる前記指示内容及び前記画像データを含む画像添付データを送信する送信手段とをさらに備え、前記携帯端末は、前記送信手段が送信したデータを受信するデータ受信手段と、を備える。
【００１３】
本発明のさらに別の観点では、請求項４に記載の端末装置と、前記監督者が使用するカメラ付き携帯端末と、指示内容及びこれに関連するデータを管理するサーバと、前記事業の請負業者が使用する携帯端末とを備える指示送信システムであって、前記カメラ付き携帯端末は、指示内容に関連する現場を撮影して画像データを生成する画像データ生成手段と、少なくとも、前記指示内容と、当該指示内容の指示先である前記請負業者を特定する情報と、前記記号と、の入力を受け付ける入力受付手段と、前記入力受付手段により受け付けた入力情報を前記サーバへ送信する送信手段とを備え、前記サーバは、前記送信手段によって送信された前記入力情報を受信する受信手段と、前記入力情報を記憶する記憶手段と、前記入力情報に基づき、前記携帯端末へ、前記入力情報に含まれる前記指示内容及び前記画像データを含む画像添付データを送信する送信手段とを備え、前記携帯端末は、前記送信手段が送信したデータを受信するデータ受信手段とを備える。
【００１４】
上記の指示送信システムは、監督者が使用する端末装置及びカメラ付き携帯端末と、サーバと、請負業者が使用する携帯端末とを備える。カメラ付き携帯端末は、画像データ生成手段と、入力受付手段と、送信手段とを備える。入力受付手段は、少なくとも、指示内容と、当該指示内容の指示先である請負業者を特定する情報と、指示内容に対応する記号と、の入力を受け付ける。送信手段は、入力受付手段により受け付けた入力情報をサーバへ送信する。サーバは、受信手段と、記憶手段と、送信手段とを備える。受信手段は、カメラ付き携帯端末から送信された入力情報を受信する。送信手段は、入力情報に基づき、携帯端末へ、少なくとも指示内容及び画像データを含む画像添付データを送信する。そして、携帯端末は、送信手段が送信した画像添付データを受信する。このようにすることで、監督者は、カメラ付き携帯端末を用いて指示内容に関連する現場を撮影し、その画像データを指示内容等に付加して請負業者の携帯端末に送信することができる。即ち、監督者は、簡易かつ迅速に請負業者に指示を通知することができる。
【００１５】
本発明のさらに別の観点では、請求項４に記載の端末装置であって、指示内容及びこれに関連するデータを管理する端末装置と、前記監督者が使用するカメラ付き携帯端末と、前記事業の請負業者が使用する携帯端末とを備える指示送信システムであって、前記カメラ付き携帯端末は、指示内容に関連する現場を撮影して画像データを生成する画像データ生成手段と、少なくとも、前記指示内容と、当該指示内容の指示先である前記請負業者を特定する情報と、前記記号と、の入力を受け付ける入力受付手段と、前記入力受付手段により受け付けた入力情報を前記サーバへ送信する送信手段とを備え、前記端末装置は、前記送信手段によって送信された前記入力情報を受信する受信手段と、前記入力情報を記憶する記憶手段と、前記入力情報に基づき、前記携帯端末へ、前記入力情報に含まれる前記指示内容及び前記画像データを含む画像添付データを送信する送信手段とをさらに備え、前記携帯端末は、サーバが送信したデータを受信するデータ受信手段とを備える。
【００１６】
上記の指示送信システムは、監督者が使用する端末装置及びカメラ付き携帯端末と、請負業者が使用する携帯端末とを備える。カメラ付き携帯端末は、画像データ生成手段と、入力受付手段と、送信手段とを備える。入力受付手段は、少なくとも、指示内容と、当該指示内容の指示先である請負業者を特定する情報と、指示内容に対応する記号と、の入力を受け付ける。送信手段は、入力受付手段により受け付けた入力情報を端末装置へ送信する。端末装置は、受信手段と、記憶手段と、送信手段とをさらに備える。受信手段は、カメラ付き携帯端末から送信された入力情報を受信する。送信手段は、入力情報に基づき、携帯端末へ、少なくとも指示内容及び画像データを含む画像添付データを送信する。そして、携帯端末は、端末装置が送信した画像添付データを受信する。このようにすることで、監督者は、カメラ付き携帯端末を用いて指示内容に関連する現場を撮影し、その画像データを指示内容等に付加して請負業者の携帯端末に送信することができる。即ち、監督者は、簡易かつ迅速に請負業者に指示を通知することができる。
【００１７】
上記の指示送信システムの一態様では、前記請負業者が使用する携帯端末は、前記データ受信手段による前記データの受信後、指示内容に関連する現場を撮影して画像データを生成する画像データ生成手段と、前記画像データを含む返信データを前記サーバへ送信する送信手段とをさらに備え、前記サーバは、前記送信手段が前記返信データを前記端末装置に送信する。このようにすることで、請負業者は、通知された指示内容を実行した旨を、指示内容実行後の現場の画像を添付して監督者の端末装置へ送信することができる。
【００１８】
上記の指示送信システムの一態様では、前記請負業者が使用する携帯端末は、前記データ受信手段による前記データの受信後、指示内容に関連する現場を撮影して画像データを生成する画像データ生成手段と、前記画像データを前記端末装置へ送信する送信手段とをさらに備える。
【００１９】
本発明のさらに別の観点では、所定の事業に関する監督者が使用する端末装置により実行されるプログラムであって、コード化パターンが印刷された記入用紙への電子ペンによる記入情報を受信する受信手段と、前記記入情報に基づき１又は複数の指示内容を抽出する指示内容抽出手段と、少なくとも、前記指示内容のそれぞれの指示先の入力を受け付ける指示先入力受付手段と、入力された指示先の端末に、当該指示先に対応する前記指示内容を、直接又は他の端末を介して送信する指示内容送信手段、として前記端末装置を機能させる。端末装置は、このプログラムを搭載して実行することにより、監督者が電子ペンで記入した指示内容を、それぞれ対応する指示先となる請負業者の端末へ送信することができる。
【００２０】
上記プログラムの一態様では、前記記入用紙は、少なくとも前記指示内容を記入する欄を含む１又は複数の欄からなるリストを備え、前記指示内容抽出手段は、前記電子ペンによって前記指示内容を記入する欄に記入されたストロークを、前記指示内容として抽出する。
【００２１】
上記プログラムの他の一態様では、前記記入用紙は、設計図面を含み、前記リストは、前記設計図面上に付した記号を記入する欄をさらに備え、指示内容送信手段は、入力された指示先の端末に、少なくとも前記指示内容と、前記設計図面と、当該指示内容に対応する前記記号とを送信する。
【００２２】
上記プログラムの他の一態様では、前記指示内容抽出手段は、前記電子ペンによって前記設計図面に記入されたストロークを、設計図面記入内容としてさらに抽出し、前記指示内容送信手段は、入力された指示先の端末に、さらに前記設計図面と、前記設計図面記入内容とを送信する。
【発明の効果】
【００２３】
本発明によれば、端末装置は、監督者が記入用紙に記載した指示内容を迅速かつ簡易に電子化して請負業者の端末に送信することができる。また、請負業者が複数あり、帳票に複数の請負業者の指示内容が記載された場合であっても、端末装置は、指示内容を、対応する請負者ごとに振り分けて送信することができる。また、指示送信システムによれば、監督者は、カメラ付き携帯端末を用いて指示内容に関連する現場を撮影し、その画像データを指示内容等に付加して請負業者の携帯端末に送信することができる。さらに、請負業者は、携帯端末を用いて、通知された指示内容を実行した旨を、指示内容実行後の現場の画像を添付して是正報告メールとして返信することができる。
【図面の簡単な説明】
【００２４】
【図１】指示送信システムのシステム構成図である。
【図２】電子ペンにより書き込みがなされた後の記入用紙の例を示す図である。
【図３】ドットパターンにおけるドットの配置と変換される値との関係を示す説明図である。
【図４】（ａ）は、ドットパターンを模式的に示し、（ｂ）は、それに対応する情報の例を示す図である。
【図５】電子ペンの構造を示す概略図である。
【図６】端末装置の機能ブロック図の一例である。
【図７】第１是正指示画面の例を示す図である。
【図８】記入情報処理フローを示すフローチャートである。
【図９】端末間処理フローを示すフローチャートである。
【図１０】第２実施形態に係る指示送信システムのシステム構成図である。
【図１１】第２是正指示画面の例を示す図である。
【図１２】第２実施形態に係る記入情報処理フローを示すフローチャートである。
【図１３】第２実施形態に係る端末間処理フローを示すフローチャートである。
【図１４】第３実施形態に係る指示送信システムのシステム構成図である。
【図１５】ブラウザにより表示された帳票確認画面の例である。
【図１６】ブラウザにより表示された写真確認画面の例である。
【図１７】第３実施形態に係る端末間処理フローを示すフローチャートである。
【発明を実施するための形態】
【００２５】
以下、図面を参照しながら、本発明を実施するのに好適な実施形態について説明する。以下に説明する各実施形態に係る指示送信システムは、工事請負業者又はその担当者（単に、「請負者」とも呼ぶ。）と工事現場の監督を行う業者又はその担当者（単に「監督者」とも呼ぶ。）との間での指示及び報告を円滑に行うシステムである。
【００２６】
＜第１実施形態＞
［指示送信システムの構成］
図１は、本第１実施形態に係る指示送信システムの構成を示す。図１に示すように、本第１実施形態の指示送信システムは、監督者が使用する電子ペン１と、監督者が使用する監督者側端末２と、電子ペン１から監督者側端末２へ記入情報等を送信するためのクレードル３と、監督者側端末２からの印刷指示（出力命令）に従って記入用紙５を印刷するプリンター４と、ネットワーク７と、ドットパターン（コード化パターン）の割当てを管理する管理サーバ８と、各請負者が使用する請負者側端末９Ａ、９Ｂ（９）とを備える。以下、これらの各構成要素について説明する。
【００２７】
（記入用紙）
まず、記入用紙５（電子ペン用用紙）について説明する。記入用紙５には、プリンター４により、その略全面に後述するドットパターン（コード化パターン）並びに図２の説明で後述する建設図面５ａ及び是正指示記録リスト５ｂ並びに図示しない用紙ＩＤ及びデータ送信チェック欄が印刷される。ドットパターンは、赤外線を吸収するカーボンを含んだインクにより印刷される。また、建設図面５ａ、是正指示記録リスト５ｂ及び用紙ＩＤ及びデータ送信チェック欄は、印刷されたドットパターンの上に、赤外域に吸収特性を持たないインクにより印刷される。
【００２８】
図２は、プリンター４により印刷された記入用紙（電子ペン用帳票）５に、電子ペン１により是正内容が記入された状態の上面の概略図を示す。図２に示すように、記入用紙５の上側には、工事現場（建設現場）となる間取り図を示す建設図面５ａが印刷されている。また、記入用紙５における建設図面５ａの下側には、監督者が実際の工事現場を見て、請負者に向けた主に安全上の観点から是正すべき旨の指示（「是正指示」と呼ぶ。）を記入するリストである是正指示記録リスト５ｂが印刷されている。是正指示記録リスト５ｂは、「番号」と表記された対応番号記入欄（同一列の欄全てを指す。以下の記入欄でも同じ。）、「指摘事項」と表記された指示内容記入欄、「是正状況」と表記された是正状況記入欄、「会社名」と表記された是正先記入欄、「期限」と表記された期限記入欄、「完了」と表記された完了チェック記入欄の各記入欄を有する。また、記入用紙５には、図示しないドットパターン及び用紙ＩＤ及びデータ送信チェック欄が印刷されている。
【００２９】
また、図２に示すように、記入用紙５は、監督者により是正指示に関する書き込みがなされる。具体的には、監督者は、工事現場を視察した結果、是正指示をすべき場所を発見した場合、その場所を特定する情報を建設図面５ａに電子ペン１により記入する。具体的には、監督者は、是正指示記録リスト５ｂの記載と対応させるための番号（以後、「対応番号」とも呼ぶ。）及び位置を特定するための矢印を建設図面５ａに記入する。図２では、建設図面５ａには、丸数字で１から７までの対応番号が記載されている。そして、監督者は、是正指示記録リスト５ｂ上に、対応番号記入欄に建設図面５ａに付した対応番号を記入すると共に、当該対応番号に対応した是正指示を指示内容記入欄に記入する。同様に、監督者は、是正指示記録リスト５ｂ上に、対応番号に対応する是正指示の指示先となる請負者の会社名又は担当者名を是正先記入欄に記載すると共に、対応番号に対応する是正指示が是正されるべき期限を期限記入欄に記載する。そして、監督者は、是正指示に関する書き込みを終えたら、データ送信チェック欄に記入する。また、監督者は、対応番号に対応する是正指示に対する請負者の是正状況を是正状況記入欄に記載する。そして、監督者は、是正指示に対する対応が適切になされた場合、完了チェック記入欄にチェックマークを記入する。
【００３０】
なお、以後では、電子ペン１による記入前の記入用紙５に表示された情報を、単に「記入前帳票データ」と呼び、電子ペン１による記入がなされた後の記入用紙５に表示された情報、すなわち建設図面５ａ、是正指示記録リスト５ｂデータ送信チェック欄及び用紙ＩＤと電子ペン１により書き込まれた筆跡（ストローク）とを合わせた情報を「記入後帳票データ」と呼ぶ。また、記入後帳票データのうち、建設図面５ａ部分のデータを「記入後図面データ」と呼ぶ。ここで、記入前帳票データ、記入後帳票データ及び記入後図面データは、ドットパターンを含まないものとする。
【００３１】
（ドットパターン）
続いて、記入用紙５に印刷されたアノト方式のドットパターン（コード化パターン）について図３及び図４を用いて説明する。図３は、記入用紙５に印刷されたドットパターンのドットとそのドットが変換される値との関係を説明する図である。図３に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、記入用紙５上の位置座標が決定されるよう構成されている。
【００３２】
図４（ａ）は、あるドットパターンの配列を示している。図４（ａ）に示すように、縦横約２ｍｍの範囲内に６×６個のドットが、記入用紙５上のどの部分から６×６ドットを取ってもユニークなパターンとなるように配置されている。これら３６個のドットにより形成されるドットパターンは位置座標（例えば、そのドットパターンが記入用紙５上のどの位置にあるのか）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１によって行われる。
【００３３】
（電子ペン）
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、バッテリー１１２、クレードル３を介して外部機器と接続するための端子１１３を備える。インクカートリッジ１０４の先端は、ペン先部１０３となっており、ユーザは、電子ペン１のペン先部１０３を記入用紙５に当接させて、ストローク（手書きストローク）を記入する。ここで、電子ペン１のペン先部１０３が記入用紙５に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００３４】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により記入用紙５に文字やマークを書いたりタップしたりする際にペン先部１０３からインクカートリッジ１０４を通じて与えられる圧力、即ち筆圧を検出し、その値をプロセッサ１０８へ伝送する。
【００３５】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で記入用紙５に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、ユーザが１つのストロークを記入し終えて電子ペン１を記入用紙５から離すと、圧力センサ１０７は、所定値以上の筆圧が検出されなくなることでペンアップを検出する。すると、プロセッサ１０８は、ペンダウンからペンアップまでの間に生成したストロークデータ（後述する座標属性情報）とペンＩＤとを関連付けて、記入情報としてメモリ１０９に記憶させる。
【００３６】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、記入用紙５上のペン先部１０３近傍に向けて赤外線を照明する。その領域は、ペン先部１０３が記入用紙５に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。
【００３７】
プロセッサ１０８は、ユーザの記入が行われる間、ＣＭＯＳカメラ１０６によって供給される画像データのドットパターンから、ユーザが記入するストローク（筆跡）の記入用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、記入用紙５における６×６のドットパターンは、記入用紙５内で重複することはないため、ユーザが電子ペン１で文字等を記入すると、記入された位置が記入用紙５のどの位置に当たるかを、プロセッサ１０８による座標演算により特定することができる。
【００３８】
メモリ１０９には、電子ペン１を識別するための「ｐｅｎ０１」といったペンＩＤ、ペン製造者番号、ペンソフトウェアのバージョン等のプロパティ情報が記憶されている。また、メモリ１０９は、ペンＩＤと、時刻情報（タイムスタンプ）と、筆圧データと、Ｘ、Ｙ座標データとを関連付けて、記入情報として記憶する。端子１１３は、電子ペン１がクレードル３に把持されるよう所定位置に挿入されることで、クレードル３の端子（不図示）と電気的に接続する。そして、電子ペン１は、クレードル３を介して監督者側端末２と自動的に通信を行い、記入情報を送信する。また、電子ペン１は、クレードル３を介して監督者側端末２から電力の供給を受け、バッテリー１１４の充電を行う。
【００３９】
（クレードル）
次に、クレードル３について説明する。クレードル３は、所定位置に挿入された電子ペン１を把持可能なキャップ状部と、当該キャップ状部に把持された電子ペン１を載置するためのベース（スタンド）部とを備える。キャップ状部は、電子ペン１を把持した際、端子１１３と電気的に接続可能な図示しない端子を備える。また、キャップ状部は、外部機器とＵＳＢ規格により電気的に接続するためのインターフェースを備え、監督者側端末２とＵＳＢケーブルにより接続する。そして、キャップ状部は、電子ペン１を把持しているとき、電子ペン１から送信された記入情報を監督者側端末２に中継すると共に、監督者側端末２から供給された充電用の電力を端子１１３に中継する。ベース部は、取りつけられたキャップ状部をロックするためのロック機構を備え、キャップ状部及びキャップ状部に挿入された電子ペン１を固定する。
【００４０】
（管理サーバ）
次に、管理サーバ８について説明する。管理サーバ８は、ハードウェアとして、監督者側端末２及び請負者側端末９Ａ、９Ｂとのデータ通信が可能な送受信装置、ＣＰＵ等のプロセッサ、ＲＯＭやＲＡＭといったメモリ、大容量記憶装置等で構成されるコンピュータ等で構成される。管理サーバ８には、印刷データにドットパターンを割当てるためのドットパターン合成エンジンがインストールされている。また、管理サーバ８は、建設図面５ａ、是正指示記録リスト５ｂ及びデータ送信チェック欄の電子データを記憶部に記憶している。建設図面５ａの電子データは、建設図面５ａを識別するためのＩＤ（以後、「図面ＩＤ」と呼ぶ。）、建設図面５ａに対応する工事現場を識別するためのＩＤ（以後、「現場ＩＤ」と呼ぶ。）、及び、監督者又は監督者側端末２を識別するためのＩＤ（以後、「監督者ＩＤ」と呼ぶ。）と共にデータベースに記憶される。
【００４１】
管理サーバ８は、監督者側端末２からドットパターン、用紙ＩＤ、データ送信チェック欄、建設図面５ａ、是正指示記録リスト５ｂ等を図２に示すような記入用紙５として印刷するために必要な印刷情報の要求（以後、「印刷情報要求」と呼ぶ。）を受信する。印刷情報要求には、現場ＩＤ及び監督者ＩＤが付与される。そして、管理サーバ８は、印刷情報要求から、現場ＩＤ及び監督者ＩＤを特定し、これに対応する建設図面５ａをデータベースから抽出する。そして、管理サーバ８は、該当する建設図面５ａの数に応じて、記入前帳票データを生成する。さらに、管理サーバ８は、記憶部に記憶しているドットパターンデータベース（以下、データベースを「ＤＢ」と略す。）からドットパターンを抽出し、記入前帳票データに割り当てる。このとき、管理サーバ８は、記入用紙５に割当てたドットパターンを記入用紙５毎に識別するための用紙ＩＤを生成し、割当てたドットパターンの座標領域のデータ、図面ＩＤ、現場ＩＤ及び監督者ＩＤと対応付けてドットパターンＤＢに記憶すると共に、当該用紙ＩＤを含む２次元コードを生成して印刷データに付加する。そして、管理サーバ８は、記入前帳票データ（ドットパターン以外のデザイン及び用紙ＩＤの２次元コード）をカーボンを含む黒色のインクで印刷しないように色調整を行う。さらに、管理サーバ８は、記入前帳票データと、当該記入前帳票データに割当てたドットパターン（以後、「割当ドットパターン」と呼ぶ。）とを重ね、印刷情報を生成し、監督者側端末２に送信する。
【００４２】
また、管理サーバ８は、電子ペン１により記入用紙５に記入されて生成された記入情報を監督者側端末２から受信して、ペンＩＤ毎に記憶部に記憶させる。そして、管理サーバ８は、記入情報に含まれる座標データに基づいて電子ペン１による筆跡（ストローク）をイメージデータとして生成し、これを記入用紙５に対応する記入前帳票データと重ね合わせて記入後帳票データを生成し、記入後帳票データを用紙ＩＤと関連付けて記憶部に記憶させる。このとき、管理サーバ８は、記入情報より、記入用紙５の対応番号記入欄に記入された対応番号の数（「指摘数」と呼ぶ。）をカウントして、生成した記入後帳票データに関連付けて記憶部に記憶させる。また、管理サーバ８は、記入情報より、記入用紙５の是正指示記録リスト５ｂのうち完了チェック記入欄以外の記入欄に電子ペン１で記入した時刻情報を特定して、そのうち最古の時刻情報を、生成した記入後帳票データの記入日時として、関連付けて記憶部に記憶させる。ここで、記入後帳票データの最初の生成後、該当する記入用紙５に電子ペン１によるストロークが追加されると、記入日時のデータは更新せずにイメージデータのみ更新する。完了チェック記入欄に記入されたストロークが追加された場合、管理サーバ８は、記入されたチェックの数（「完了数」と呼ぶ。）をカウントして、更新した記入後帳票データに関連付けて記憶部に記憶させる。
【００４３】
さらに、管理サーバ８は、監督者側端末２の要求に応じて、監督者側端末２の表示画面に表示される是正指示の入力画面（以後、「第１是正指示画面」と呼ぶ。）のソースコードを記入後帳票データに基づき生成する。そして、管理サーバ８は、当該ソースコードを監督者側端末２へ送信する。また、管理サーバ８は、監督者側端末２から、第１是正指示画面に対する入力情報（以後、「第１入力情報」と呼ぶ。）を受信し、記憶部に記憶させる。そして、管理サーバ８は、第１入力情報及び記入後帳票データに基づき、請負者側端末９Ａ、９Ｂに是正指示に関する情報（以後、「第１是正指示情報」と呼ぶ。）を送信する。第１是正指示情報は、記入後帳票データの指示内容記入欄の記載（以後、「指示内容」と呼ぶ。）、指示内容に対応する対応番号、及び記入後帳票データの建設図面５ａ部分の電子データを含む情報を指す。また、第１是正指示情報は、第１入力情報により指定された是正指示先ごとに生成される。なお、第１是正指示画面については、後述の［画面表示］のセクションで詳しく説明する。
【００４４】
（監督者側端末）
次に、監督者側端末２について説明する。監督者側端末２は、ハードウェアとして、電子ペン１や管理サーバ８等とのデータ通信が可能な送受信装置、ＣＰＵ等のプロセッサ、ＲＯＭやＲＡＭといったメモリ、ディスプレイ、マウスやキーボード等で構成されるパーソナルコンピュータ等で構成される。図６は、監督者側端末２の機能ブロック図である。監督者側端末２は、機能的には、マウスやキーボードといった入力手段２１、ＵＳＢインターフェース２２、ネットワークインターフェース２３、処理手段２４、記憶手段２５、表示手段２６、及び送信手段２７を備える。
【００４５】
ＵＳＢインターフェース２２（単に「インターフェース２２」とも呼ぶ。）は、ＵＳＢケーブルによりクレードル３と接続することでクレードル３に把持された電子ペン１と電気的に接続可能なインターフェースである。インターフェース２２は、クレードル３を介して電子ペン１に充電用の電力を供給したり、電子ペン１から記入情報を受信して処理手段２４に伝送したりする。ネットワークインターフェース２３（単に「インターフェース２３」とも呼ぶ。）は、ネットワーク７と接続するためのインターフェースである。インターフェース２３は、処理手段２４の処理命令に基づき、記入用紙５を印刷するための印刷情報要求を管理サーバ８へ送信する。また、インターフェース２３は、印刷情報要求に基づき管理サーバ８から供給される印刷情報を受信する。また、インターフェース２３は、第１入力情報を管理サーバ８へ送信する。
【００４６】
処理手段２４は、ＣＰＵ等のプロセッサによって構成され、監督者側端末２の全体の制御を行う。具体的には、処理手段２４は、ユーザが入力手段２１により記入前帳票データの印刷指示を入力したことを検知した場合に、インターフェース２３を介して管理サーバ８へ印刷情報要求を送信すると共に、当該印刷情報要求により受信した印刷情報に基づく印刷指示を送信手段２７を介してプリンター４へ送信する。また、処理手段２４は、クレードル３を介して電子ペン１から記入用紙５に関する記入情報をインターフェース２２を介して受信すると共に、管理サーバ８へ送信する。また、処理手段２４は、ユーザからの入力に基づき管理サーバ８から第１是正指示画面のソースコードを、インターフェース２３を介して受信する。そして、処理手段２４は、第１是正指示画面を表示手段２６に表示させ、監督者から是正指示の送信先等の指定を受け付ける。そして、処理手段２４は、第１是正指示画面に対する入力情報である第１入力情報を、管理サーバ８へインターフェース２３を介して送信する。
【００４７】
記憶手段２５は、ＲＯＭやＲＡＭといったメモリによって構成される。記憶手段２５は、プリンター４のドライバや、第１是正指示画面等を表示するためのブラウザなどの表示用ソフトウェア等のプログラムを記憶する。表示手段２６は、ディスプレイ等によって構成され、処理手段２４によって指示された内容を表示する。送信手段２７は、処理手段２４の指示による記入用紙５の印刷指示（「出力命令」とも呼ぶ。）をプリンター４に送信する。プリンター４へのデータ送信方式は、有線式であっても無線式であってもよい。
【００４８】
（請負者側端末）
次に、請負者側端末９Ａ、９Ｂ（９）について説明する。請負者側端末９Ａ、９Ｂは、それぞれ異なる請負者によって使用される。請負者側端末９Ａ、９Ｂは、ハードウェアとして、管理サーバ８とのデータ通信が可能な送受信装置、ＣＰＵ等のプロセッサ、ＲＯＭやＲＡＭといったメモリ、ディスプレイ、マウスやキーボード等で構成されるパーソナルコンピュータ等で構成される。請負者側端末９Ａ、９Ｂは、管理サーバ８から第１是正指示情報を受信する。
【００４９】
［画面表示］
次に、監督者側端末２が表示してデータ入力する第１是正指示画面について具体例を用いて詳しく説明する。
【００５０】
（第１是正指示画面）
図７は、監督者側端末２の表示手段２６により表示された第１是正指示画面の一例である。第１是正指示画面は、指示内容欄２６１、会社名入力欄２６２、担当者入力欄２６３、期限入力欄２６４、及び是正日入力欄２６５を有するリスト（以後、「是正指示設定リスト」と呼ぶ。）と、登録ボタン２６７と、送信ボタン２６８とを有する。
【００５１】
指示内容欄２６１は、図２に示す記入用紙５の是正指示記録リスト５ｂに電子ペン１により記入された是正内容のうち、「番号」と表記された対応番号記入欄及び「指摘事項」と表記された指示内容記入欄の各記入欄のイメージ情報が切り出されて各セルに表示される欄である。指示内容欄２６１の各セルに対応する是正指示設定リストの各入力欄２６２〜２６５に所定事項が入力されると入力された情報が表示される。会社名入力欄２６２は、プルダウンメニュー方式により是正指示先の会社名が入力される欄である。担当者入力欄２６３は、プルダウンメニュー方式により是正指示先の担当者名が入力される欄である。期限入力欄２６４は、是正指示を履行すべき期限がテキスト入力方式により入力される欄である。また、登録ボタン２６７は、是正指示設定リストの入力を確定する場合や途中で一旦保存する場合に、監督者により入力手段２１が操作されて押下されるボタンである。登録ボタン２６７が押下されたことを検知すると、処理手段２４は、インターフェース２３を介して、是正指示設定リストの入力情報、即ち第１入力情報を管理サーバ８へ送信し、当該第１入力情報を対応する指示内容と関連付けて管理サーバ８に記憶させる。送信ボタン２６８は、是正指示設定リストの内容を、会社名入力欄２６２又は／及び担当者欄２６３により指定された請負者に送信する際に押下されるボタンである。送信ボタン２６８が押下されたことを検知すると、処理手段２４は、第１入力情報を管理サーバ８へ送信する。これにより、管理サーバ８は、第１入力情報を対応する指示内容と関連付けて記憶する。そして、管理サーバ８は、会社名入力欄２６２又は／及び担当者欄２６３により指定された請負者ごとに、該当する是正指示設定リストのデータと記入後図面データ（建設図面５ａ部分の記入後帳票データ）とを同時に送信する。
【００５２】
なお、会社名入力欄２６２及び担当者欄２６３には、テキスト入力方式により情報が入力されてもよい。また、第１是正指示画面と同じ画面上又はポップアップで表示する別画面上に、対応する建設図面５ａ部分の記入後帳票データが表示されるように構成してもよい。
【００５３】
［処理フロー］
次に、本第１実施形態の指示送信システムによる処理フローについて説明する。以下では、まず、電子ペン１及び管理サーバ８間での記入情報の授受に関連した処理フロー（以後、「記入情報処理フロー」と呼ぶ。）について説明した後、監督者側端末２及び請負者側端末９Ａ、９Ｂ（９）の端末間での第１是正指示情報の授受に関連した処理フロー（以後、「端末間処理フロー」と呼ぶ。）について説明する。
【００５４】
（記入情報処理フロー）
図８は、電子ペン１、監督者側端末２及び管理サーバ８が実行する記入情報処理の処理手順を示すフローチャートである。図８に示す処理フローは、ユーザが電子ペン１をクレードル３のキャップ状部に挿入して載置するごとに繰り返し実行される。
【００５５】
まず、電子ペン１は、ペンＩＤ及び座標属性情報を含む記入情報を、クレードル３を介して監督者側端末２へ自働的に送信する（ステップＳ１０１）。具体的には、まず、ユーザが、記入用紙５の建設図面５ａ上に電子ペン１で是正指示する箇所を示す対応番号等（ストローク）を記入して、是正指示リスト５ｂ上に是正指示の内容を記入する。すると、電子ペン１のプロセッサ１０８は、記入用紙５に印刷されたドットパターンを認識して、座標属性情報とペンＩＤを対応付けて記入情報を生成し、当該記入情報をメモリ１０９に記憶させる。ユーザは、全ての是正指示を記入し終えたら、記入用紙５のデータ送信チェック欄に任意のストロークを記入する。その後、電子ペン１は、クレードル３のキャップ状部に挿入して載置された場合、記憶した記入情報を監督者側端末２へ送信する。そして、電子ペン１は、フローチャートの処理を終了する。
【００５６】
監督者側端末２の処理手段２４は、電子ペン１から送信された記入情報をインターフェース２２を介して受信させる（ステップＳ２０１）。そして、処理手段２４は、当該記入情報を管理サーバ８へインターフェース２３を介して送信させる（ステップＳ２０２）。管理サーバ８は、監督者側端末２から送信された記入情報を受信し、ペンＩＤ毎に記憶部に記憶する（ステップＳ３０１）。そして、管理サーバ８は、記憶した記入情報に含まれる位置座標データに基づき、ドットパターンＤＢを参照して用紙ＩＤ、図面ＩＤ、監督者ＩＤ等を特定し、これに対応する記入前帳票データと、ストロークのイメージデータとを重ねて記入後帳票データを生成し、記憶部に記憶する（ステップＳ３０２）。このとき、管理サーバ８は、記入後帳票データを現場ＩＤ及び監督者ＩＤごとに記憶する。
【００５７】
（端末間処理フロー）
図９は、監督者側端末２、管理サーバ８及び請負者側端末９が実行する端末間処理の処理手順を示すフローチャートである。
【００５８】
まず、監督者側端末２の処理手段２４は、ユーザ（監督者）が入力手段２１によって入力した情報に基づいて第１是正指示画面のダウンロード要求を管理サーバ８へインターフェース２３を介して送信する（ステップＳ４０１）。このとき、ダウンロード要求には、ステップＳ３０２で記憶された記入後帳票データを特定できるように、現場ＩＤ、監督者ＩＤ及び記入日付情報が付される。次に、管理サーバ８は、監督者側端末２から当該ダウンロード要求を受信後、現場ＩＤ、監督者ＩＤ及び記入日付情報に基づき記入後帳票データを抽出し、当該記入後帳票データに基づき図７に示すような第１是正指示画面を表示するためのソースコードを生成する。そして、管理サーバ８は、監督者側端末２へ生成した第１是正指示画面のソースコードを送信する（ステップＳ５０１）。なお、記入後帳票データを特定するための情報として、用紙ＩＤを用いるように構成してもよい。
【００５９】
次に、監督者側端末２の処理手段２４は、第１是正指示画面のソースコードを受信し、第１是正指示画面を表示手段２６に表示させる（ステップ４０２）。そして、処理手段２４は、ユーザが第１是正指示画面に基づいて入力手段２１により入力した情報を第１入力情報として受け付けると共に、当該第１入力情報をインターフェース２３を介して管理サーバ８へ送信する（ステップＳ４０３）。
【００６０】
次に、管理サーバ８は、第１入力情報を受信し、対応する記入後帳票データと関連付けて記憶する（ステップＳ５０２）。そして、管理サーバ８は、第１入力情報及び対応する記入後帳票データから、第１入力情報により指定された是正指示先ごとに是正指示内容を集約して第１是正指示情報を生成する（ステップＳ５０３）。ここで、第１是正指示情報には、該当する是正指示先ごとの是正指示設定リストのデータ（第１入力情報及び指示内容欄２６１に表示された記入後帳票データ）と、建設図面５ａ部分の記入後帳票データとが含まれる。そして、管理サーバ８は、是正指示先ごとの請負者側端末９に第１是正指示情報を送信する（ステップＳ５０４）。すると、各請負者側端末９は、当該第１是正指示情報を受信し、記憶部に記憶する（ステップＳ６０１）。そして、請負者側端末９は、ユーザ（請負者）による入力部の操作に応じて、当該第１是正指示情報をディスプレイに表示する（ステップＳ６０２）。
【００６１】
［本実施形態の指示送信システムによる作用効果］
本第１実施形態の指示送信システムによれば、監督者は、記入用紙５に指示内容等を電子ペン１により記入すると共に、監督者側端末２により表示された第１是正指示画面に是正指示先等を入力することで、是正指示先ごとの請負者側端末９へ是正指示を通知することができる。
【００６２】
＜第２実施形態＞
次に、第２実施形態について説明する。第２実施形態と第１実施形態とが同様の部分については同じ符号を付し、適宜説明を省略する。図１０は、本第２実施形態に係る指示送信システムの構成を示す。本第２実施形態に係る指示送信システムでは、監督者が使用する監督者側携帯端末６をさらに備える。また、第１実施形態の管理サーバ８は、監督者側端末２に表示された第１是正指示画面への第１入力情報等に基づいて、第１是正指示情報を生成したが、本第２実施形態の管理サーバ８は、後述する監督者側携帯端末６に表示された第２是正指示画面への第２入力情報等に基づいて、第２是正指示情報を生成する。
【００６３】
（電子ペン）
まず、本第２実施形態の電子ペン１が、第１実施形態の電子ペン１と異なる点について説明する。第１実施形態の電子ペン１は、クレードル３を介して外部装置（監督者側端末２）と有線通信を行うのに対して、本第２実施形態の電子ペン１は、アンテナ装置等の無線通信機能を備え、外部装置（監督者側携帯端末６）とＢｌｕｅｔｏｏｔｈ（登録商標）による無線通信を行う。例えば監督者側端末２がノートＰＣやＰＤＡなどの持ち運び可能な端末の場合、監督者は電子ペン１を監督者側端末２と通信可能な距離で使用可能なように電子ペン１と監督者側端末２とを共に携帯する。この場合、電子ペン１の記入情報は、記入用紙５のデータ送信チェック欄に電子ペン１により記入することで監督者側携帯端末６へ無線送信されるようにする。
【００６４】
（管理サーバ）
次に、本第２実施形態の管理サーバ８が、第１実施形態の管理サーバ８と異なる点について説明する。管理サーバ８は、監督者側携帯端末６から、監督者側携帯端末６の表示画面に表示される是正指示の入力画面（以後、「第２是正指示画面」と呼ぶ。）に対する入力情報（以後、「第２入力情報」と呼ぶ。）及び監督者側携帯端末６が撮影して生成した工事現場の画像データ（以後、「是正指示画像データ」と呼ぶ。）を受信し、記憶部に記憶させる。そして、管理サーバ８は、第２入力情報及び是正指示画像データに基づく是正指示に関する情報（以後、「第２是正指示情報」と呼ぶ。）を、電子メールにて請負者側端末９Ａ、９Ｂ（９）へ送信する。また、管理サーバ８は、この是正指示に対する応答として、請負者側端末９から是正指示か所の図面に関する問合せを受けると、対応する記入用紙５の記入後帳票データが既に記憶部に記憶されているか判定し、記憶されている場合は記入後図面データ（建設図面５ａ部分の記入後帳票データ）を、記憶されていない場合はエラー情報を、その請負者側端末９へ送信する。
【００６５】
（監督者側携帯端末）
次に、監督者側携帯端末６について説明する。監督者側携帯端末６は、ハードウェアとして、管理サーバ８とのデータ通信が可能なネットワークインターフェース、ＣＰＵ等のプロセッサ、ＲＯＭやＲＡＭといったメモリ、タッチパネル入力機能を有するディスプレイ、操作ボタン、カメラ等を備える携帯電話、ＰＤＡ（Ｐｅｒｓｏｎａｌ  Ｄｉｇｉｔａｌ  Ａｓｓｉｓｔａｎｔ）等である。監督者側携帯端末６は、２次元コード読取機能を備え、記入用紙５に形成された２次元コードより用紙ＩＤを読み取る。また、監督者側携帯端末６は、ユーザによる操作ボタンやタッチパネルの操作に基づきカメラ機能により工事現場を撮影して、是正指示画像データを生成する。そして、監督者側携帯端末６は、是正指示画像データを含む第２是正指示画面をディスプレイに表示する。そして、監督者側携帯端末６は、監督者による第２是正指示画面への入力に基づき、指示内容及びその送信先の指定等の第２入力情報を生成する。また、監督者側携帯端末６は、タッチパネル機能により、是正指示画像データ部分への指摘箇所及び指示内容の書き込みを受け付ける。そして、監督者側携帯端末６は、第２入力情報及び書き込み後の是正指示画像データに基づいて第２是正指示情報を生成して、管理サーバ８へ送信する。ここで、監督者側携帯端末６は、第２是正指示画面のデータを、予めメモリに記憶させておいてもよく、作業の都度、管理サーバ８から取得するようにしてもよい。
【００６６】
［画面表示］
次に、監督者側携帯端末６がディスプレイに表示してデータ入力する第２是正指示画面の一例について、詳しく説明する。
【００６７】
（第２是正指示画面）
図１１は、拡大された第２是正指示画面及びこれに関連する処理の概要を示す図である。図１１に示すように、第２是正指示画面は、是正指示画像表示欄２７０と、是正指示に関する情報（第２入力情報）の入力欄である対応番号入力欄２７１、作業内容入力欄２７２、及び担当者入力欄２７３と、次へボタン２７４と、戻るボタン２７５と、送信ボタン２７６とを備える。なお、対応番号入力欄２７１、作業内容入力欄２７２及び担当者入力欄２７３には、テキスト入力方式により情報が入力されてもよい。
【００６８】
是正指示画像表示欄２７０は、初期状態では、カメラ撮影機能を呼び出すボタン（不図示）及び撮影済みの画像データを選択して呼び出すためのボタン（不図示）が表示され、監督者の操作によって、是正指示個所が撮影されて是正指示画像データが生成されるか、又は撮影済みの画像データが是正指示画像として呼び出されて、表示される欄である。対応番号入力欄２７１は、記入用紙５に電子ペン１により記入された是正指示内容と対応をとるために、記入用紙５に記入された対応番号のうち、是正指示画像表示欄２７０に表示された是正箇所に該当する対応番号がプルダウンメニュー方式により入力される欄である。作業内容入力欄２７２は、プルダウンメニュー方式により指示内容の区分（「作業内容」とも呼ぶ。）が入力される欄である。担当者入力欄２７３は、プルダウンメニュー方式により是正指示先の担当者名が入力される欄である。
【００６９】
次へボタン２７４は、現在の第２是正指示画面に表示された是正指示画像データ及び第２入力情報を関連付けしてメモリに記憶させるとともに、次の是正箇所に対する指示を作成するための第２是正指示画面を表示させる場合に、監督者により入力手段２１が操作されて押下されるボタンである。戻るボタン２７５は、１つ前の第２是正指示画面を表示させる場合に、監督者により入力手段２１が操作されて押下されるボタンである。また、送信ボタン２７６は、現在の第２是正指示画面に表示された是正指示画像データ及び第２入力情報を関連付けしてメモリに記憶させて、さらに、メモリに記憶された是正指示画像データ及び第２入力情報に用紙ＩＤを対応付けて管理サーバ８に送信させる場合に、監督者により入力手段２１が操作されて押下されるボタンである。送信ボタン２７６が押下されたことを検知すると、監督者側携帯端末６は、公衆電話網などのネットワークを介して、是正指示画像データ、第２入力情報、及び用紙ＩＤを管理サーバ８へ送信する。これにより、管理サーバ８は、受信した情報を対応する記入用紙５の記入後帳票データと関連付けて記憶する。そして、管理サーバ８は、担当者入力欄２７３により指定された請負者ごとに、該当する是正指示画像データ及び第２入力情報に基づいて第２是正指示情報を生成して、該当する請負者の請負者側端末９へ送信する。
【００７０】
［処理フロー］
次に、本第２実施形態の指示送信システムによる処理フローについて、第１実施形態と同様の部分は適宜簡略化して説明する。以下では、まず、電子ペン１及び管理サーバ８間での記入情報の授受に関連した処理フロー（記入情報処理フロー）について説明した後、監督者側携帯端末６及び請負者側端末９の端末間での第２是正指示情報の授受に関連した処理フロー（端末間処理フロー）について説明する。
【００７１】
（記入情報処理フロー）
図１２は、電子ペン１、監督者側携帯端末６及び管理サーバ８が実行する記入情報処理の処理手順を示すフローチャートである。図８に示す処理フローは、ユーザが電子ペン１により記入用紙５のデータ送信チェック欄に記入するごとに繰り返し実行される。
【００７２】
まず、電子ペン１は、ペンＩＤ及び座標属性情報を含む記入情報を、無線通信方式により監督者側携帯端末６へ送信する（ステップＳ１１１）。具体的には、まず、ユーザが、記入用紙５の建設図面５ａ上に電子ペン１で是正指示する箇所を示す対応番号等（ストローク）を記入する。すると、電子ペン１のプロセッサ１０８は、記入情報を生成し、メモリ１０９に記憶させる。ユーザは、全ての是正箇所の対応番号等を記入し終えたら、記入用紙５のデータ送信チェック欄にタップやチェックマーク等の任意のストロークを記入する。すると、電子ペン１は、記憶した記入情報を無線通信方式により監督者側携帯端末６へ送信して、フローチャートの処理を終了する。なお、本第２実施形態では、是正指示リスト５ｂ上に是正指示の内容を記入してもよいし省略してもよい。
【００７３】
監督者側携帯端末６の処理手段２４は、電子ペン１から送信された記入情報を受信すると（ステップＳ２１１）、公衆電話網を利用して、当該記入情報を管理サーバ８へ送信する（ステップＳ２１２）。管理サーバ８は、監督者側携帯端末６から送信された記入情報を受信し、ペンＩＤ毎に記憶部に記憶する（ステップＳ３１１）。そして、管理サーバ８は、記憶した記入情報に含まれる位置座標データに基づき、ドットパターンＤＢを参照して用紙ＩＤ、図面ＩＤ、監督者ＩＤ等を特定し、これに対応する記入前帳票データと、ストロークのイメージデータとを重ねて記入後帳票データを生成し、記憶部に記憶する（ステップＳ３１２）。このとき、管理サーバ８は、記入後帳票データを現場ＩＤ及び監督者ＩＤごとに記憶する。
【００７４】
（携帯端末間処理フロー）
図１３は、監督者側携帯端末６、管理サーバ８、及び請負者側端末９が実行する処理手順を示すフローチャートである。
【００７５】
まず、監督者は、現場において記入用紙５に印刷された用紙ＩＤの２次元コードを監督者側携帯端末６に付属するカメラにより撮影して所定の操作を行う。すると、監督者側携帯端末６は、図面ＩＤを読み取ってメモリに記憶するとともに（ステップＳ４５１）、第２是正指示画面を監督者側携帯端末６のディスプレイ上に表示させて（ステップＳ４５２）、次の操作待ち状態となる（ステップＳ４５３）。監督者は、記入用紙５の建設図面５ａに電子ペン１で記入した是正すべき場所を監督者側携帯端末６のカメラにより撮影するか（ステップＳ４５４）、又はメモリに記憶された撮影済みの画像データから該当するデータを選択する（ステップＳ４５５）ための操作を行う。これにより、監督者側携帯端末６は、撮影処理、又は画像選択処理を実行して、是正指示画像データとして、カメラ撮影により生成された画像データ、又はメモリから呼び出された画像データを、第２是正指示画面の是正指示画像表示欄２７０に表示する（ステップＳ４５６）。次に、監督者が、タッチパネル入力機能により是正指示の指摘箇所や指示事項を是正指示画像表示欄２７０に直接記入すると、監督者側携帯端末６は、是正指示画像データに関連する是正指示に関する情報（第２入力情報）として入力を受け付ける（ステップＳ４５７）。具体的に図１１では、是正指示画像表示欄２７０に表示された是正指示画像の指摘部分に、監督者が指又はスタイラス（タッチパネル用入力用ペン）などによりブルーシートが放置された場所を指摘箇所として枠で囲み、かつ、その枠を指し示す矢印及び指示事項として「かたづけ」と書き込んだ後の状態を示す。
【００７６】
続いて、監督者は、是正指示画像表示欄２７０の下部に表示された各プルダウンメニューにより是正指示に関する情報（第２入力情報）を入力する。即ち、監督者は、対応番号、作業内容、請負者名を各入力欄２７１〜２７３に表示されるプルダウンメニューから選択する。そして、監督者は、１箇所の是正指示に関する入力が完了した場合、次へボタン２７４を押下する。これにより、監督者側携帯端末６は、次へボタン２７４の押下を検知して（ステップＳ４５８：「次へ」）、１箇所の是正指示画像データ毎に第２入力情報を生成すると共に、第２入力情報に当該是正指示画像データを対応付けして、メモリに記憶する。そして、監督者側携帯端末６は、ステップＳ４５２に戻る。監督者は、全ての箇所の是正指示に関する入力が完了した場合、送信ボタン２７６を押下する。これにより、監督者側携帯端末６は、送信ボタン２７６の押下を検知して（ステップＳ４５８：「送信」）、メモリに記憶した全ての是正指示に関するデータに用紙ＩＤを対応付けしたデータを生成して、管理サーバ８へ送信する（ステップＳ４５９）。
【００７７】
管理サーバ８は、監督者側携帯端末６から第２入力情報及び是正指示画像データを含む是正指示に関するデータを受信し、記憶部に記憶する（ステップＳ５５１）。このとき、管理サーバ８は、監督者ＩＤ及び現場ＩＤごとにこれらのデータを記憶する。そして、管理サーバ８は、担当者入力欄２７３に入力された情報により特定された請負者（是正指示先）毎に第２入力情報及び是正指示画像データに基づき第２是正指示情報を生成する（ステップＳ５５２）。そして、管理サーバ８は、請負者が使用する請負者側端末９へ生成した第２是正指示情報を送信する（ステップＳ５５３）。具体的には、管理サーバ８は、第２入力情報から是正指示先である請負者を特定する（ステップＳ５５２）と共に、図示しないユーザＤＢを参照して請負者のメールアドレスを特定する。そして、管理サーバ８は、第２是正指示情報を付したメール（以後、「是正指示メール」と呼ぶ。）を請負者側端末９にメール送信する（ステップＳ５５３）。なお、管理サーバ８は、請負者とそのメールアドレスとの対応付け情報を含むユーザＤＢを、予め記憶部に記憶しておく。
【００７８】
請負者側端末９は、管理サーバ８から送信された第２是正指示メール情報を受信して、記憶する（ステップＳ６５１）。そして、請負者側端末１０Ａは、請負者による操作に応じて、当該第２是正指示情報をディスプレイに表示する（ステップＳ６５２）。
【００７９】
［本第２実施形態の指示送信システムによる作用効果］
本第２実施形態の指示送信システムによれば、監督者は、記入用紙５の建設図面５ａ上に指示箇所等を電子ペン１により記入すると共に、監督者側携帯端末６により表示された第２是正指示画面に基づき当該指摘箇所を撮影し、是正指示先等を入力することで、是正指示先ごとに是正指示を通知することができる。これにより、監督者は、工事現場の巡回中等において、是正指示をすべき指摘箇所を発見した場合、監督者側携帯端末６により当該指摘箇所を撮影した画像を添えて、請負者側端末９Ａ、９Ｂや請負者側携帯端末１０Ａ、１０Ｂに是正指示をメールで迅速に通知することができる。
【００８０】
＜第３実施形態＞
次に、第３実施形態について説明する。第３実施形態と第１、第２実施形態とが同様の部分については同じ符号を付し、適宜説明を省略する。図１４は、本第３実施形態に係る指示送信システムの構成を示す。本第３実施形態に係る指示送信システムでは、第２実施形態の指示送信システムの請負者側端末９Ａ、９Ｂに代えて、各請負者が使用する請負者側携帯端末１０Ａ、１０Ｂ（１０）を備える。また、本第３実施形態では、管理サーバ８が生成するソースコードに基づいて、監督者側端末２が、是正指示や是正完了の確認画面を表示する。
【００８１】
（管理サーバ）
まず、本第３実施形態の管理サーバ８が、第２実施形態の管理サーバ８と異なる点について説明する。管理サーバ８は、監督者側携帯端末６から受信した第２入力情報及び是正指示画像データに基づいて第２是正指示情報を生成し、生成した第２是正指示情報を付した是正指示メールを是正指示先の請負者側携帯端末１０Ａ、１０Ｂへ送信する。また、管理サーバ８は、この是正指示に対する応答として、請負者側携帯端末１０から是正指示箇所の位置を図面により確認するための問合せ（以後、「図面要求」と呼ぶ。）を受けると、対応する記入用紙５の記入後帳票データが既に記憶部に記憶されているかデータベースを検索し、記憶されている場合は記入後図面データ（建設図面５ａ部分の記入後帳票データ）を、記憶されていない場合はエラー情報を、その請負者側携帯端末１０、１０Ｂへ送信する。なお、是正指示メールには図面要求のための、用紙ＩＤ情報が含まれるリンク情報が含まれており、請負者側携帯端末１０、１０Ｂが操作されてリンク情報が選択されると、請負者側携帯端末１０、１０Ｂよりサーバに図面要求が送信されるものとする。さらに、管理サーバ８は、是正指示に対する応答として、請負者側携帯端末１０Ａ、１０Ｂから、請負者側携帯端末１０Ａ、１０Ｂがそれぞれ撮影して生成した是正後の工事現場の画像データ（以後、「是正後画像データ」と呼ぶ。）及びコメントデータ（以後、「是正後コメント」と呼ぶ。）を含む是正報告メール受信する。そして、管理サーバ８は、是正後画像データ及び是正後コメントを記憶部に記憶させる。
【００８２】
また、管理サーバ８は、記入用紙５の是正指示記録リスト５ｂの「番号」と表示された対応番号記入欄に記入された対応番号の数（「指摘数」と呼ぶ。）と、「完了」と表示された完了チェック記入欄に記入されたチェックの数（「完了数」と呼ぶ。）とをそれぞれカウントして、当該記入用紙５に対応する記入後帳票データに関連付けて記憶部に記憶する。さらに、管理サーバ８は、管理者側端末２の要求に基づき、後述する確認画面のソースコードを生成する。
【００８３】
（請負者側携帯端末）
次に、請負者側携帯端末１０Ａ、１０Ｂ（１０）について説明する。請負者側携帯端末１０Ａ、１０Ｂは、それぞれ異なる請負者によって使用される。請負者側携帯端末１０Ａ、１０Ｂは、ハードウェアとして、管理サーバ８とのデータ通信が可能なネットワークインターフェース、ＣＰＵ等のプロセッサ、ＲＯＭやＲＡＭといったメモリ、ディスプレイ、操作ボタン、カメラ等を備える携帯電話、ＰＤＡ等である。請負者側携帯端末１０Ａ、１０Ｂは、管理サーバ８から第２是正指示情報を受信し、当該第２是正指示情報をディスプレイ上に表示する。また、請負者側携帯端末１０は、請負者による操作ボタンの操作に基づき、サーバ８に図面要求を送信し、サーバ８より返信された記入後図面データ又はエラー情報をディスプレイ上に表示する。そして、請負者側携帯端末１０Ａ、１０Ｂは、請負者による操作ボタンの操作に基づき、カメラで、是正指示への対応後の工事現場を撮影し、是正後画像データを生成する。また、請負者側携帯端末１０Ａ、１０Ｂは、是正後コメントの入力を受け付ける。そして、請負者側携帯端末１０Ａ、１０Ｂは、是正指示に対する応答として、第２是正指示情報に基づいて生成した是正後画像データ及び是正後コメントデータを含む是正報告メールを管理サーバ８へ送信する。
【００８４】
（確認画面）
次に、管理サーバ８が管理する是正指示に関するデータ（是正指示データ）を監督者が閲覧する際の確認画面（以後、「是正指示確認画面」と呼ぶ。）について図１５を用いて説明する。図１５は、監督者側端末２で起動されたブラウザにより表示された是正指示確認画面である。是正指示確認画面は、検索日付入力欄２８０と、検索ボタン２８１と、記入日時表示欄２８２と、帳票種類表示欄２８３と、アイコン表示欄２８４と、確認数表示欄２８５と、詳細確認ボタン表示欄２８６とを備える。処理手段２４は、帳票確認画面のソースコードを管理サーバ８からダウンロードすると共に、ブラウザにより帳票確認画面を表示手段２６に表示させる。
【００８５】
検索日付入力欄２８０は、電子ペン１による記入用紙５への是正指示事項の最初の記入日をキーとしてその記入用紙５に対応する記入後帳票データを検索するための日付がプルダウンメニュー方式により入力される欄である。検索ボタン２８１は、監督者が検索の実行を指示するためのボタンである。記入日時表示欄２８２は、検索された記入後帳票データに関連付けられている記入日時、即ち、対応する記入用紙５への電子ペン１による是正指示事項の最初の記入日時が表示される欄である。アイコン表示欄２８４は、検索された記入後帳票データを呼び出すためのアイコン２８４ａが表示される欄である。アイコン２８４ａがマウスクリックされたことを検知すると、監督者側端末２の処理手段２４は、インターフェース２３を介して管理サーバ８から記入後帳票データをダウンロードする。そして、処理手段２４は、表示手段２６に、ダウンロードした記入後帳票データのイメージ画像を別のウィンドウ上にポップアップ表示させる。確認数表示欄２８５は、是正指示記録リスト５ｂの対応番号記入欄に記入された対応番号の数（「指摘数」）と、完了チェック記入欄に記入されたチェックの数（「完了数」）とをそれぞれ表示する欄である。詳細確認ボタン表示欄２８６は、詳細確認ボタン２８６ａを表示する欄である。詳細確認ボタン２８６ａがクリックされたことを検知すると、監督者側端末２の処理手段２４は、是正指示画像データ及び是正後画像データを閲覧可能な画面（以後、「写真確認画面」と呼ぶ。）のソースコードを管理サーバ８に要求し、管理サーバ８が生成したソースコードをダウンロードする。そして、処理手段２４は、表示手段２６に、写真確認画面をポップアップ表示させる。
【００８６】
図１６は、ブラウザにより表示された写真確認画面を示す。写真確認画面は、検索日付入力欄２９０、対応番号入力欄２９１、是正指示先入力欄２９２、撮影者入力欄２９３、及び作業内容入力欄２９４の検索キーを入力するための各入力欄と、検索ボタン２９５と、是正指示画像データ表示欄２９６とを備える。
【００８７】
検索日付入力欄２９０は、是正指示画像データが撮影された日時を入力する欄である。対応番号入力欄２９１は、対応番号を入力する欄である。是正指示先入力欄２９２は、是正指示先を入力する欄である。撮影者入力欄２９３は、是正指示画像データの撮影者を入力する欄である。作業内容入力欄２９４は、作業内容を入力する欄である。なお、これらの各入力欄は、プルダウンメニューによる入力が可能である。検索ボタン２９５は、各入力欄にいずれかの入力があった場合、マウスクリックがなされることにより是正指示画像データの検索を開始するボタンである。是正指示画像データ表示欄２９６は、検索ボタン２９５の押下後、指定された全ての検索条件を満たす是正指示画像データ及びその是正先、作業内容が表示される欄である。
【００８８】
検索ボタン２９５が押下されたことを検知すると、監督者側端末２の処理手段２４は、管理サーバ８にデータ検索要求を送信する。サーバ８が、指定された全ての検索条件を満たす是正指示画像データをデータベースより抽出して、ソースコードを生成すると、監督者側端末２は、ソースコードをダウンロードして、是正指示画像データ表示欄２９６に表示させる。このとき、是正指示画像データ表示欄２９６に表示された是正指示画像データに対応する是正後画像データが管理サーバ８に記憶されている場合、是正指示画像データ表示欄２９６のタイトル部分にリンク表示部２９７が表示される。リンク表示部２９７は、管理サーバ８が是正後画像データを含むメールを請負者側携帯端末１０Ａから受信した日時を表示している。そして、リンク表示部２９７がクリックされたことを検知すると、監督者側端末２の処理手段２４は、是正後画像データを表示するためのソースコードを管理サーバ８からダウンロードする。そして、処理手段２４は、ダウンロードした是正後画像データを表示手段２６にポップアップ表示させる。
【００８９】
［処理フロー］
次に、本第３実施形態の指示送信システムによる処理フローについて、第２実施形態と同様の部分は適宜簡略化して説明する。以下では、請負者側携帯端末１０Ａ及び管理サーバ８間での是正後画像データの授受に関連した処理フロー（是正後処理フロー）について説明する。
【００９０】
（是正後処理フロー）
図１７は、請負者側携帯端末１０及び管理サーバ８が実行する是正後処理の処理手順を示すフローチャートである。図１７に示す処理フローは、請負者が是正指示に従って是正を行って監督者に報告を行うために、請負者側携帯端末１０によって是正後の状況をカメラ撮影するさいに実行される。
【００９１】
まず、請負者は、請負者側携帯端末１０を操作して、是正指示メールに付された第２是正指示情報を請負者側携帯端末１０のディスプレイに表示させる（ステップＳ７０１）。そして、請負者側携帯端末１０は、次の操作待ち状態となる（ステップＳ７０２）。請負者は、是正すべき場所を建設図面で確認するために図面要求をサーバ８に送信するか（ステップＳ７０３）、又はカメラ機能を呼び出して是正後の状況を撮影する（ステップＳ７０５）ための操作を行う。図面要求のためのリンク情報が選択されたことを検知した場合（ステップＳ７０２：「図面要求」）、請負者側携帯端末１０は、図面要求をサーバ８に送信する。サーバ８は、図面要求を受信すると（ステップＳ８０１）、記憶部に対応する記入後帳票データが記憶されているかを検索する（ステップＳ８０２）。そして、管理サーバ８は、記入後帳票データが記憶されていれば対応する記入後図面データを、記憶されていない場合はエラー情報を、請負者側携帯端末１０へ送信する（ステップＳ８０３）。請負者側携帯端末１０は、サーバ８から受信した記入後図面データ、又はエラー情報をディスプレイに表示して（ステップＳ７０４）、ステップＳ７０２に戻る。
【００９２】
一方、カメラ呼出を検知した場合（ステップＳ７０２：「カメラ呼出」）、請負者側携帯端末１０Ａは、カメラ機能を起動し、請負者の操作に基づき、是正後の工事現場の撮影を行って是正後画像データを生成する（ステップＳ７０５）。請負者が、必要な数の撮影を終えて所定の操作を行うと、請負者側携帯端末１０は、生成した是正後画像データをディスプレイに表示する（ステップＳ７０６）。そして、請負者側携帯端末１０は、是正後コメントの入力を受け付ける（ステップＳ７０７）。請負者が、入力を完了して、是正指示メールへ返信するための送信操作を行うと、請負者側携帯端末１０は、送信命令を検知して（ステップＳ７０８）、第２是正指示情報に基づいて入力された是正後画像データ及び是正後コメントが付された是正報告メールを生成して、管理サーバ８へ送信する（ステップＳ７０９）。具体的には、請負者側携帯端末１０Ａは、図１３のステップＳ６５１で受信した是正指示メールの送信元を送信先として、是正後画像データ、是正後コメント、対応する用紙ＩＤや是正指示箇所の対応番号の情報を含むメールを送信する（ステップＳ７０９）。
【００９３】
管理サーバ８は、請負者側携帯端末１０から是正後画像データ及び是正後コメントを含む是正報告メールを受信し、記憶部に記憶する（ステップＳ８０４）。このとき、管理サーバ８は、用紙ＩＤ及び対応番号ごとにこれらのデータを記憶する。そして、管理サーバ８は、是正後画像データ及び是正後コメントが登録されたことを通知するための確認通知を監督者側端末２へ送信する（ステップＳ８０５）。具体的には、管理サーバ８は、監督者側端末２のメールアドレスを記憶部から抽出し、是正後画像データ等が関連付けられた記入後帳票データの用紙ＩＤ、記入日、現場名等と共に、データ確認を促すメッセージをメール送信する。
【００９４】
監督者側端末２は、管理サーバ８からの確認通知を受信する（ステップＳ９０１）。その後、監督者側端末２は、用紙ＩＤ又は記入日を検索キーとして、図１５に示す確認画面から、所望の記入後帳票データを検索して、記入後帳票データ、是正後画像データ及び是正後コメント等を表示手段２６に表示させる。
【００９５】
［本第３実施形態の指示送信システムによる作用効果］
本第３実施形態の指示送信システムによれば、請負者は、監督者が電子ペン１により対応番号を記入した建設図面５ａの記入後図面データを呼び出して、是正指示メールに含まれる対応番号から、自身が是正すべき箇所の図面上の位置を確認できる。また、請負者は、請負者側携帯端末１０により表示された第２是正指示情報に基づき当該指摘箇所の是正後の状況を撮影し、是正コメントを入力して、迅速に是正報告メールを送信することができる。また、監督者は、監督者側端末２に表示した確認画面の確認数表示欄２８５によって是正完了の進捗状況を確認したり、詳細確認ボタン２８６ａによって是正指示した箇所の是正前や是正後の状況を画像により確認したりできる。
【００９６】
［変形例］
次に、本実施形態の変形例について説明する。以下の変形例は、上述の各実施形態に任意に組み合わせて適用することができる。
【００９７】
（変形例１）
上述の各実施形態では、管理サーバ８が是正指示に関するデータ管理を実行していた。しかし、本発明が適用可能な指示送信システムの構成は、これに限定されない。これに代えて、監督者側端末２が上述のデータ管理を実行してもよい。例えば、第１実施形態の場合、監督者側端末２は、図８のフローチャートにおいて、管理サーバ８が実行するステップＳ３０１、Ｓ３０２の記入情報の記憶や記入後帳票データの生成を実行する。また、監督者側端末２は、図９のフローチャートにおいて、管理サーバ８が実行するステップＳ５０１に付随して実行される第１是正指示画面のソースコードの生成と送信、ステップＳ５０２の第１入力情報の記憶、及びステップＳ５０３、Ｓ５０４の各処理を実行する。
【００９８】
（変形例２）
第１、第２実施形態では、請負者は請負者側端末９Ａ、９Ｂ（９）を備え、第３実施形態では、請負者は請負者側携帯端末１０Ａ、１０Ｂ（１０）を備えることとしたが、各実施形態で、請負者は、請負者側端末９、請負者側携帯端末１０の両方を備えるように構成してもよいし、どちらか一方を任意に備えるように構成してもよい。
【符号の説明】
【００９９】
１…電子ペン
２…監督者側端末
３…クレードル
４…プリンター
５…記入用紙
５ａ…建設図面
５ｂ…是正指示記録リスト
６…監督者側携帯端末
７…ネットワーク
８…管理サーバ
９、９Ａ、９Ｂ…請負者側端末
１０Ａ、１０Ｂ…請負者側携帯端末
２１…入力手段
２２…ＵＳＢインターフェース
２２…ネットワークインターフェース
２４…処理手段
２５…記憶手段
２６…表示手段
２７…送信手段
【図１】
2011180634.tif 000003
【図２】
2011180634.tif 000004
【図３】
2011180634.tif 000005
【図４】
2011180634.tif 000006
【図５】
2011180634.tif 000007
【図６】
2011180634.tif 000008
【図７】
2011180634.tif 000009
【図８】
2011180634.tif 000010
【図９】
2011180634.tif 000011
【図１０】
2011180634.tif 000012
【図１１】
2011180634.tif 000013
【図１２】
2011180634.tif 000014
【図１３】
2011180634.tif 000015
【図１４】
2011180634.tif 000016
【図１５】
2011180634.tif 000017
【図１６】
2011180634.tif 000018
【図１７】
2011180634.tif 000019